(57)【特許請求の範囲】
【請求項１】
長尺物をロール状に巻いて、ロールの中心にケーブル束のうち特定するケーブルが通る孔を設けた特定ロールの前記孔に前記ケーブルを通す工程と、
前記孔の内側の前記長尺物の一端を前記ケーブルに固定する工程と、
前記特定ロールを前記ケーブルの長手方向に沿って移動させて、前記長尺物を引き出しながら前記ケーブルに巻き付ける工程と、
を有することを特徴とするケーブルの特定方法。
【発明の詳細な説明】
【技術分野】
【０００１】
本発明は、プラント・通信設備などでケーブルの撤去作業を行う際に適用可能なケーブルの特定方法に関する。
【背景技術】
【０００２】
プラント・通信設備などでは、電源用又は通信用のケーブルが配置されている。このケーブルは設置箇所に応じて、複数本、長距離にわたって張り巡らされている。
設備機器の増設、変更などにより、既設ケーブルを撤去して新規ケーブルを設置する作業が必要となる。このとき既設ケーブルの撤去作業は、長距離にわたって張り巡らされたケーブルの一端から他端に向けて、切断したケーブル運搬の都合に合わせて所定間隔で目印を付けながら切断して、切断したケーブルを除去している。ケーブルを切断する際は、誤って撤去対象ではないケーブルを切断しないように十分に注意しなければならない。
【０００３】
従来、ケーブルの誤切断を防止するための技術として特許文献１〜４に開示の技術がある。
特許文献１に開示の誤切断防止装置は、信号発信器と信号受信器を用いて撤去対象となるケーブルに電気信号を送り、撤去すべきケーブルを特定した後、切断作業を行っている。
特許文献２に開示のケーブル識別方法は、ケーブルに所定区間毎に示温変色塗料を塗布して、ケーブルの両端それぞれの芯線とシールド線を電気的に接続して電圧を印加する。そして塗料の熱による変色によりケーブルを特定している。
特許文献３に開示のケーブル撤去方法は、撤去対象となるケーブルの一端からリングを通してケーブルに沿って移動させて、リングが巻き付けられたケーブルを撤去対象ケーブルと判断している。
特許文献４に開示のケーブル撤去方法は、撤去するケーブルの一端からリングを通してケーブルに沿って移動させている。作業中は撤去対象ケーブルであることを目視で確認できる。
【先行技術文献】
【特許文献】
【０００４】
【特許文献１】特開平１１−３３１０４９号公報
【特許文献２】特開２００４−２８２８２０号公報
【特許文献３】特開２０１４−９６９７２号公報
【特許文献４】特開２００１−２５１７１８号公報
【発明の概要】
【発明が解決しようとする課題】
【０００５】
しかしながら特許文献１，２に開示の技術は、ケーブルの少なくとも一端と電気的に接続する装置が必要となる。このような装置は高価であり、また準備作業、ケーブルを特定する作業に時間がかかる。
また特許文献３，４に開示のリングは、リングをケーブルに沿って移動させている間は、撤去対象のケーブルと判断することができるが、リングを取り外した後は、何ら目印が残らず撤去するケーブルであるか否かの判断ができない。
【０００６】
上記従来技術の問題点に鑑み、本発明は複数のケーブルから任意のケーブルを容易かつ確実に特定することができるケーブルの特定方法を提供することにある。
【課題を解決するための手段】
【０００７】
上記の課題を解決するための第１の手段として、本発明は、長尺物をロール状に巻いて、ロールの中心にケーブル束のうち特定するケーブルが通る孔を設けた特定ロールの前記孔に前記ケーブルを通す工程と、前記孔の内側の前記長尺物の一端を前記ケーブルに固定する工程と、前記特定ロールを前記ケーブルの長手方向に沿って移動させて、前記長尺物を引き出しながら前記ケーブルに巻き付ける工程と、を有することを特徴とするケーブルの特定方法を提供することにある。
このような第１の手段によれば、任意のケーブルに長尺物を容易に巻き付けることができ、特定ロールをケーブルから外した後でも、長尺物が巻き付けられた任意のケーブルを容易に特定することができ、ケーブル切断時の誤切断を防止できる。
【０００８】
上記の課題を解決するための第２の手段として、長尺物をロール状に巻いて、ロールの中心にケーブル束のうち特定するケーブルが通る孔を設け、前記孔の内側の前記長尺物の一端を前記孔に通した前記ケーブルに取り付けて引き出し可能なことを特徴とするケーブルの特定ロールを提供することにある。
このような第２の手段によれば、孔を通るケーブルに長尺物をケーブルの長手方向に沿って螺旋状に容易に巻き付けることができる。このため、特定ロールが通過したケーブルは、長尺物が巻き付けられた状態となり容易に特定することができる。
【０００９】
上記の課題を解決するための第３の手段として、前記第２の手段において、前記長尺物は熱可塑性樹脂のフィルムを用いていることを特徴とする請求項２に記載のケーブルの特定ロールを提供することにある。
このような第３の手段によれば、特定ロールから引き出された熱可塑性樹脂のフィルムがケーブルに巻き付いてケーブル表面に密着し、特定ロールをケーブルから取り外した後でも、この密着状態を維持して容易にケーブルを特定することができる。
【００１０】
上記の課題を解決するための第４の手段として、前記第２又は第３の手段に記載のケーブルの特定ロールの外周を覆う筒状のホルダー本体を備え、前記ホルダー本体は、前記特定ロールの両端の端面の一部を覆うツバ部を備えたことを特徴とするケーブルの特定ロールホルダーを提供することにある。
このような第４の手段によれば、ケーブルの特定ロールの使用によって、長尺物の巻き数が少なくなりロール状の形態を保つことが困難になった特定ロールの外周を覆うようにホルダーで支持することができる。このため、特定ロールの長尺物を容易にケーブルの長手方向に沿って引き出すことができる。
【発明の効果】
【００１１】
このような本発明によれば、ケーブルの特定ロールを通したケーブルに長尺物が巻き付けられるため、特定ロールをケーブルから取り外した後でもケーブルを容易に特定することができる。また、切断撤去後のケーブルには長尺物が巻き付けられた状態で残っているため、特定したケーブルであることの証拠となる。
【図面の簡単な説明】
【００１２】
【図１】本発明のケーブルの特定ロールの説明図である。
【図２】本発明のケーブルの特定ロールホルダーの説明図である。
【図３】本発明のケーブルの特定方法の作業手順の工程図である。
【発明を実施するための形態】
【００１３】
本発明のケーブルの特定方法の実施形態を添付の図面を参照しながら、以下詳細に説明する。
【００１４】
［ケーブルの特定ロール１０］
図１は本発明のケーブルの特定ロールの説明図である。図示のように本発明のケーブルの特定ロール（以下、単に特定ロールという）１０は、長尺物２０をロール状に巻いた巻物である。本実施形態の長尺物２０は、一例として熱可塑性樹脂のフィルムを用いている。熱可塑性樹脂としては、ポリエチレン、ポリ塩化ビニル、ポリ塩化ビニリデン、ポリビニルアルコール、ポリプロピレン、ポリエステル、ポリカーボネート、ポリスチレン、ポリアクリロニトリル、エチレン酢酸ビニル共重合体、エチレン−ビニルアルコール共重合体、エチレン−メタクリル酸共重合体、ポリアミドなどを適用することができる。
なお、長尺物２０はこの他にも熱可塑性樹脂を用いた紐、接着剤を一方の主面に塗布したテープなどを適用することができる。
【００１５】
そして特定ロール１０は、ロールの中心にケーブル束のうち撤去対象となるケーブル１２が通る、換言すると撤去対象となるケーブル１２の直径よりも大きい孔３０を設けている。撤去対象となるケーブル１２は単数又は複数の束の場合があり、この単数又は複数の束が通る径となるように、孔３０の径を任意に変更している。
また、孔３０の内壁には長尺物２０の一端を露出させている。この長尺物２０の一端は、孔３０に撤去対象のケーブル１２を通した後、引き出してケーブルの外周に沿って巻き付けて、あるいは接着手段を用いることにより、ケーブル１２に容易に固定することができる
【００１６】
このような特定ロール１０は、撤去対象となるケーブル１２の直径によるが、一例として長尺物２０の厚みが数十μｍ、長さが数百メートル、幅が数十ｍｍの寸法を用いてロール状に形成することができる。
【００１７】
［ケーブルの特定ロールホルダー４０］
図２はケーブルの特定ロールホルダーの説明図である。図示のようにケーブルの特定ロールホルダー（以下、単に特定ロールホルダーという）４０は、特定ロール１０の外周を覆う筒状のホルダー本体５０を備えている。ホルダー本体５０は、内部に特定ロールの収容空間を設けて、端面はいずれも開口しており、この開口から特定ロール１０の長尺物２０を引き出すことができる。
【００１８】
また、ホルダー本体５０の端面にはツバ部５２を形成している。このツバ部５２はホルダー本体５０の開口が特定ロール１０の直径よりも小さい開口となるように先端が中心に向けて突出したツバ状に形成されている。ツバ部５２は、ホルダー本体５０の両端面に形成している。
このようなツバ部５２を形成することにより、長尺物２０が孔３０の内側から引き出されるときに特定ロール１０ごとホルダー本体５０から脱落することを防止できる。また、長尺物２０の巻き数が少なくなってきたときの特定ロール１０のロール状の形態を支持することができる。また、ホルダー本体５０の両端面にツバ部５２を形成しているため、ホルダー本体５０の両端面のどちら側からでも長尺物２０を引き出すことができる。
【００１９】
そしてホルダー本体５０は、軸心と直交又は平行に複数分割した構造を採用している。本実施形態のホルダー本体５０は軸心と直交する方向に二分割（第１及び第２ホルダー５０ａ，５０ｂ）した構造を採用し、第１及び第２ホルダー５０ａ，５０ｂの接続箇所には雄ねじと雌ねじ加工を施している。この第１及び第２ホルダー５０ａ，５０ｂの間に特定ロールを挟み、第１及び第２ホルダー５０ａ，５０ｂを螺合させることによって筒内に特定ロールを収容して固定したホルダー本体５０を形成できる。
【００２０】
なお、ホルダー本体５０の分割構造は、この他にも軸心と平行に複数分割した構造を採用できる。この場合の接続箇所には凹凸を設けて嵌合させることによりホルター本体５０を形成すると良い。
【００２１】
このような特定ロールホルダー４０を用いることにより、長尺物の巻き数が少なくなりロール状の形態を保つことが困難になった特定ロールの外周を覆うようにホルダーで支持することができる。このため、特定ロールの長尺物を容易にケーブルの長手方向に沿って引き出すことができる。
【００２２】
［ケーブルの特定方法］
上記特定ロール、特定ロールホルダーを用いたケーブルの特定方法について、以下説明する。図３は本発明のケーブルの特定方法の作業手順の工程図である。
【００２３】
撤去対象となるケーブル１２は単数又は複数の束の場合がある。単数又は複数の束が通る径の孔３０を備えた特定ロール１０を用意する。この特定ロール１０を内部に配置した特定ロールホルダー４０を以下の工程で用いる。
（Ａ）に示すように、長尺物２０をロール状に巻いて、ロールの中心にケーブル束のうち特定するケーブル１２が通る孔３０を設けた特定ロール１０の孔３０にケーブル１２の一端を通す。
【００２４】
（Ｂ）に示すように、孔３０の内側の長尺物２０の一端をケーブル１２の一端付近に固定する。長尺物２０をケーブル１２へ固定する方法は、特定ロール１０の孔３０の内側から長尺物２０の一端を引っ張り出してケーブル１２の外周に複数回巻き付けたり、接着手段を用いてケーブル１２の外周に接着させたりして容易に固定することができる。
【００２５】
（Ｃ）に示すように、特定ロール１０をケーブル１２の長手方向に沿って移動させる。このとき特定ロール１０の孔３０の内側から長尺物２０が引き出されながらケーブル１２の外周面に螺旋状に巻き付けられる。長尺物２０に、熱可塑性樹脂のフィルムを用いた場合、特定ロール１０から引き出された熱可塑性樹脂のフィルムがケーブル１２に巻き付いてケーブル表面に密着し、特定ロール１０をケーブル１２から取り外した後でも、この密着状態を維持して容易に撤去対象となるケーブル１２を特定することができる。
【００２６】
（Ｄ）に示すように、特定ロール１０をケーブルの長手方向に沿って移動させる工程と並行して、長尺物２０が巻き付けられたケーブル１２の切断箇所に目印（マーキング）６０を付ける。本発明のケーブルの特定方法では、特定ロール１０が通過した後でも、長尺物２０が巻き付けられたケーブル１２を目視で確認することにより、撤去対象となるケーブル１２を容易に認識できる。
【００２７】
（Ｅ）に示すように、ケーブル１２の他端まで特定ロール１０を移動させた後、ケーブル１２の他端から特定ロール１０を取り外す。従来のリングを用いた特定方法では、リングをケーブルから取り外すと撤去対象のケーブルを特定することができなかったが、本発明の特定方法では、撤去対象のケーブル１２に長尺物２０が巻き付いているため、容易に特定することができる。
（Ｆ）その後、切断箇所の目印６０毎にケーブル１２の切断作業を行い、ケーブル１２を容易に撤去することができる。
なお、切断撤去作業は、ケーブル１２の他端まで特定ロール１０を移動した後に行うだけではなく、特定ロール１０が通過した後であればいつでもよく、適宜通過した部分のケーブルを切断撤去しても良い。また、特定ロール１０の長尺物２０が十分巻き付けられていてロールの強度が十分ある場合には、特定ロールホルダー４０を用いずに特定ロール１０を直に用いて（Ａ）〜（Ｆ）までの工程を行うようにしても良い。
【００２８】
このような本発明のケーブルの特定方法によれば、任意のケーブルに長尺物を容易に巻き付けることができ、特定ロールをケーブルから外した後でも、長尺物が巻き付けられた任意のケーブルを容易に特定することができ、ケーブル切断時の誤切断を防止できる。また、切断撤去後のケーブルには長尺物が巻き付けられた状態で残っているため、特定したケーブルであることの証拠となる。
【産業上の利用可能性】
【００２９】
本発明のケーブルの特定方法は、複数のケーブルが付設されたプラント、通信設備などに適用可能である。
【符号の説明】
【００３０】
１０………ケーブルの特定ロール、１２………ケーブル、２０………長尺物、３０………孔、４０………ケーブルの特定ロールホルダー、５０………ホルダー本体、５０ａ………第１ホルダー、５０ｂ………第２ホルダー、５２………ツバ部、６０………目印。
【図１】
0006529351.tif 000002
【図２】
0006529351.tif 000003
【図３】
0006529351.tif 000004